(57)【要約】【課題】  被測定対象物の装着部に強く押し付ける必要がないと共に、運動時の脈波を正確に検出する。【解決手段】  脈波検出器６を超広帯域レーダ７と脈波算出部８とで構成し、超広帯域レーダ７はクロック発生器１５、プログラマブル遅延回路１６、インパルス信号発生器１７及び送信アンテナ１８を有するインパルス信号発信部１１と、プログラマブル遅延回路３１、レンジ調整回路３２及びインパルス信号発生部３３を有するインパルス遅延信号形成部１２と、受信アンテナ４１及び超広帯域検出器４２を有する超広帯域検出部１３とを備え、手首２１の動脈２２及び静脈２３の脈波を検出する。これら動脈２２及び静脈２３の脈波を脈波算出部８で処理して正確な脈波を検出する。【選択図】  図３
2005102959.tif 000002
【特許請求の範囲】
【請求項１】
動脈の脈動を超広帯域レーダの使用により検出する動脈流検出手段と、静脈の脈動を超広帯域レーダの使用により検出する静脈流検出手段と、前記動脈流検出手段で検出した動脈流信号と、前記静脈流検出手段で検出した静脈流信号とに基づいて体動成分を除く真の脈波成分を算出する脈波算出手段とを備えたことを特徴とする脈波検出器。
【請求項２】
前記超広帯域レーダは、インパルス信号を検出対象に向けて発信するインパルス信号発信部と、該インパルス信号発信部で発信したインパルス信号の反射信号を検出し、発信したインパルス信号の検出対象に対応する遅延信号をもとに検出対象物の反射信号を抽出する超広帯域検出部とで構成されていることを特徴とする請求項１に記載の脈波検出器。
【請求項３】
前記動脈流検出手段及び静脈流検出手段は、インパルス信号を検出対象に向けて発信するインパルス信号発信部と、該インパルス信号発信部で発信したインパルス信号に対して動脈での反射波及び静脈での反射波に対応する遅延時間分遅延させたインパルス遅延信号を形成するインパルス遅延信号形成部と、前記インパルス信号発信部で発信したインパルス信号の反射信号を検出し、検出した反射信号と前記インパルス遅延信号形成部で形成したインパルス遅延信号とに基づいて動脈反射信号及び静脈反射信号を選択的に抽出する超広帯域検出部とで構成される広帯域レーダと、広帯域レーダで検出した動脈反射信号及び静脈反射信号に基づいて動脈波及び静脈波を検出する脈波検出手段とを備えていることを特徴とする請求項１に記載の脈波検出器。
【請求項４】
前記請求項１乃至３の何れか１つに記載の脈波検出器を腕時計に組込んだことを特徴とする脈波検出装置。
【請求項５】
前記請求項１乃至３の何れか１つに記載の脈波検出器を動物の首輪に組込んだことを特徴とする脈波検出装置。
【発明の詳細な説明】
【技術分野】
【０００１】
本発明は、動脈流と静脈流とを検出して、体動成分を除く真の脈波成分を算出するようにした脈波検出器及びこれを使用した脈波検出装置に関する。
【背景技術】
【０００２】
従来の脈波検出装置としては、例えば発光ダイオードとその検出装置とで構成した脈波センサを指先に装着し、脈波センサとこの脈波センサにより検出した脈波信号の信号処理装置との間を有線ケーブルで接続することにより、脈波を検出することが提案されている（例えば特許文献１又は特許文献２参照）。しかしながら、この従来例では、脈波センサを指先に常に装着していなければならないため、指先に違和感を与えたり、長時間装着していた場合に汗等により不快感を感じたりする場合がある。また、外部からの光が検出されないようにするため発光ダイオードと検出器とを比較的大きなカバーで覆う必要があり、装着時に違和感を与えるという未解決の課題がある。さらに、脈波検出のためには、発光ダイオードを常時発光させた状態に維持する必要があるので、電池駆動である場合の電池の消耗が激しいという未解決の課題がある。
【０００３】
この未解決の課題を解決するために、腕時計の裏蓋部分に反射型光学センサであって、脈拍数を検出する脈波センサユニットを取付けて、脈拍を測定するようにした生態情報計測装置が提案されている（例えば、特許文献３参照）。
【特許文献１】特許第３３０１２９４号公報
【特許文献２】特公平６−１４９０９号公報（第１頁、第１図）
【特許文献３】特開平１１−２３５３２０号公報（第１頁、図３）
【発明の開示】
【発明が解決しようとする課題】
【０００４】
しかしながら、上記特許文献３に記載された従来例にあっては、腕時計の裏蓋部分の構造が複雑になり、製造が困難となると共に、裏蓋部に外部からの光が侵入しないようにするため、裏蓋部分を被測定者の装着部に強く押し付けている必要があり、長時間装着していると、装着部に痛みを覚える等の未解決の課題がある。また、運動時の脈波（体動による脈波）を測定する場合、体動による血液の流れも本来の脈波とともに同時に測定してしまうため、真の脈波の検出が困難であるという未解決の課題もある。
【０００５】
そこで、本発明は、上記従来例の未解決の課題に着目してなされたものであり、被測定対象物の装着部に強く押し付ける必要がないと共に、運動時の脈波を正確に検出することができる脈波検出器及びこれを使用した脈波検出装置を提供することを目的としている。
【課題を解決するための手段】
【０００６】
上記目的を達成するための第１の技術手段は、動脈の脈動を超広帯域レーダの使用により検出する動脈流検出手段と、静脈の脈動を超広帯域レーダの使用により検出する静脈流検出手段と、前記動脈流検出手段で検出した動脈流信号と、前記静脈流検出手段で検出した静脈流信号とに基づいて体動成分を除く真の脈波成分を算出する脈波算出手段とを備えたことを特徴としている。
【０００７】
この第１の技術手段では、動脈流検出手段で超広帯域レーダを使用して動脈の脈動を検出すると共に、静脈流検出手段で、同様に超広帯域レーダを使用して静脈の脈動を検出し、脈波算出手段で、検出した動脈流信号から静脈流信号を減算して体動成分を除去した真の脈流を検出する。この場合、動脈流及び静脈流を超広帯域レーダを使用して検出するので、人体等の検出対象に対して脈流検出器を強く押し付ける必要がなく、しかも静脈流信号から体動による信号成分を検出することができるので、体動成分を検出するための加速度センサ等のセンサを別途設ける必要がなく、全体の構成を簡易小型化することができる。
【０００８】
また、第２の技術手段は、上記第１の技術手段において、前記超広帯域レーダは、インパルス信号を検出対象に向けて発信するインパルス信号発信部と、該インパルス信号発信部で発信したインパルス信号の反射信号を検出し、発信したインパルス信号の検出対象に対応する遅延信号をもとに検出対象物の反射信号を抽出する超広帯域検出部とで構成されていることを特徴としている。
【０００９】
この第２の技術では、超広帯域レーダが、インパルス発信部と、インパルス信号の検出対象物からの反射信号を抽出する超広帯域検出部とで構成されているので、動脈流又は静脈流を高精度で検出することができ、運動時の脈波を正確に検出することができる。
さらに、第３の技術は、上記第１の技術において、前記動脈流検出手段及び静脈流検出手段が、インパルス信号を検出対象に向けて発信するインパルス信号発信部と、該インパルス信号発信部で発信したインパルス信号に対して動脈での反射波及び静脈での反射波に対応する遅延時間分遅延させたインパルス遅延信号を形成するインパルス遅延信号形成部と、前記インパルス信号発信部で発信したインパルス信号の反射信号を検出し、検出した反射信号と前記インパルス遅延信号形成部で形成したインパルス遅延信号とに基づいて動脈反射信号及び静脈反射信号を選択的に抽出する超広帯域検出部とで構成される広帯域レーダと、広帯域レーダで検出した動脈反射信号及び静脈反射信号に基づいて動脈波及び静脈波を検出する脈波検出部とを備えていることを特徴としている。
【００１０】
この第３の技術手段では、インパルス信号発信部で発信したインパルス信号に対して動脈での反射波及び静脈での反射波に対応する遅延時間分遅延させたインパルス遅延信号を形成するインパルス遅延信号形成部を有するので、１つの超広帯域レーダで、インパルス遅延信号形成部で形成するインパルス遅延信号を選択することにより、動脈流及び静脈流を検出することができ、脈波検出器をより小型化することができる。
【００１１】
さらにまた、第４の技術は、前記第１乃至第３の技術の何れか１つに記載の脈波検出器を腕時計に組込んだことを特徴とする脈波検出装置である。
この第４の技術では、腕時計に脈波検出装置を組込んだので、運動時の脈波を、腕時計を装着するだけで、装着した場合に不快感を生じることなく、正確に容易に人体の脈波を正確に検出することができる。
【００１２】
なおさらに、第５の技術手段は、前記第１乃至第３の技術手段の何れか１つに記載の脈波検出器を動物の首輪に組込んだことを特徴としている。
この第５の技術手段では、動物の運動時の脈波を正確に検出することができ、例えば競走馬や馬術用馬等の調教時に脈波を正確に把握しながら調教を行うことができる。
【発明を実施するための最良の形態】
【００１３】
以下、本発明の実施の形態を図面に基づいて説明する。
図１は、本発明を腕時計に適用した場合の一実施形態を示す構成図であって、図中、１は脈波検出装置としての腕時計であって、表面に時刻及び脈波結果を表示する表示部２が設けられ、内部に各種の電気部品又は電子部分を内蔵したハウジング３と、このハウジング３に連結されて、脈波の検出対象となる人間の腕に巻回されるリストバンド４とを備えている。
【００１４】
ハウジング３の手首の甲に接触する裏蓋５には、図２に示すように、動脈及び静脈の脈波を検出する脈波検出器６が配設されている。
この脈波検出器６は、図３に示すように、動脈流及び静脈流を検出する超広帯域（ＵＷＢ：Ultra Wideband）レーダ７と、この超広帯域レーダ７で検出した動脈流及び静脈流に基づいて脈波を検出する脈波算出手段としての脈波算出部８とで構成されている。
【００１５】
超広帯域レーダ７は、インパルス信号を発信するインパルス信号発信部１１と、このインパルス信号発信部１１から発信されたインパルス信号に対して動脈での反射波及び静脈での反射波に対応する遅延時間分遅延させたインパルス遅延信号を形成するインパルス遅延信号形成部１２と、インパルス信号発信部１１で発信したインパルス信号の反射信号を検出し、検出した反射インパルス信号とインパルス遅延信号形成部１２で形成したインパルス遅延信号とに基づいて動脈反射信号及び静脈反射信号を選択的に抽出する超広帯域検出手段としての超広帯域検出部１３とで構成されている。
【００１６】
ここで、インパルス信号発信部１１は、レーダパルス繰り返しインターバルを形成するランダムなパターンのクロック信号を発生するクロック発生器１５と、このクロック発生器１５から出力されるクロック信号を所定遅延時間だけ遅延させた基準遅延信号を出力するプログラマブル遅延生成回路１６と、このプログラマブル遅延生成回路１６から出力される基準遅延信号がトリガ信号として入力されてインパルス信号を発生するインパルス信号発生器１７と、このインパルス信号発生器１７から出力されるインパルス信号を人間の手首の甲に放射するハウジング３の裏蓋５に配設された送信アンテナ１８とを備えている。
【００１７】
なお、プログラマブル遅延回路１６で生成される基準遅延信号の遅延時間は、一般的には後述するインパルス遅延信号形成部１２で設定される最少遅延時間を考慮して設定されるが、インパルス信号発信部１１の遅延時間を考慮して設定するようにしてもよい。
また、インパルス信号発生器１７は、通常ガウス形状の電圧パルスを発生するが、他のマルチバンドパルスと称される形状の電圧パルスを発生させるようにしてもよく、この他チャープ波形の電圧パルスも適用することができる。
【００１８】
さらに、送信アンテナ１８は、セラミックで形成されたチップアンテナやフラクタルアンテナを適用することができ、腕時計１を装着した検出対象となる手首２１の甲に対してインパルス信号発生器１７で発生されたインパルス信号を放射する。
インパルス遅延信号形成回路１２は、インパルス信号発生部１１のクロック発生器１５で発生されたクロック信号が入力されるプログラマブル遅延回路３１と、このプログラマブル遅延回路３１の遅延時間を設定するレンジ調整回路３２と、プログラマブル遅延回路３１から出力される遅延信号をトリガとしてインパルス信号を発生させるインパルス信号発生器３３とで構成されている。
【００１９】
ここで、レンジ調整回路３２は、インパルス信号発生器１７で発生されて送信アンテナ１８から手首２１の甲に放射されるインパルス信号が測定対象となる動脈２２及び静脈２３で反射された反射信号を抽出するための２種類の遅延時間をクロック発生器１５で発生されるクロック信号に同期して時分割で出力するように調整可能に構成されている。
超広帯域検出部１３は、送信アンテナ１７から手首２１の甲に放射されたインパルス信号が動脈２２及び静脈２３で反射された反射インパルス信号を受信する受信アンテナ４１と、この受信アンテナ４１で受信した反射インパルス信号とインパルス遅延信号形成回路１２から入力されるインパルス遅延信号との相関をとる例えばマッチトフィルタで構成される超広帯域検出器４２とで構成されている。
【００２０】
ここで、超広帯域検出器４２は、受信アンテナ４１で受信した反射インパルス信号と、インパルス遅延信号形成回路１２から入力されるインパルス遅延信号との相関をとり、相関値の強度変化を表す反射波検出信号を出力する。
脈波算出部８は、超広帯域検出部１３の超広帯域検出器４２から出力される反射波検出信号を時間軸方向で積分及び微分等の処理を行うことにより、動脈２２又は静脈２３の脈動運動の時間変化を検出する脈波検出回路５１と、この脈波検出回路５１から出力される脈波信号のゲインを自動調整するＡＧＣ回路５２と、このＡＧＣ回路５２でゲインを自動調整された脈波信号をディジタル信号に変換するＡ／Ｄ変換器５３と、このＡ／Ｄ変換器５３から出力されるディジタル信号を高速フーリエ変換する高速フーリエ変換器５４と、この高速フーリエ変換器５４で高速フーリエ変換された周波数領域の変換データが入力される後処理回路５５とを備えている。
【００２１】
ここで、後処理回路５５は、高速フーリエ変換器５４から入力される動脈の周波数領域の変換データから静脈の周波数領域の変換データを減算することにより、動脈の周波数領域の変換データから静脈の周波数領域の変換データに含まれる体動成分を除去して、純粋な真の脈波成分を検出する後処理アルゴリズムを実行し、この後処理アルゴリズムで検出された真の脈波成分が表示部２に供給されて、この表示部２で真の脈波成分を表示する。
【００２２】
次に、上記実施形態の動作を説明する。
先ず、上記構成を有する腕時計１を、検出対象者の手首２１に、その甲側に裏蓋５が接触するように装着する。この腕時計１を装着した状態で、脈波検出器６を作動させることにより、インパルス信号発信部１１の送信アンテナ１８からインパルス信号を手首２１の甲側に放射し、超広帯域検出部１３の受信アンテナ４１で動脈２２によって反射された動脈反射インパルス信号及び静脈２３で反射された静脈反射インパルス信号を受信する。
【００２３】
このとき、腕時計１を左手首２１に装着するものとすると、左手首２１は、図３に示すように、皮膚２４に覆われた内部に橈骨２５及び尺骨２６と、これらの手の平側に位置する橈骨動脈２２ａ及び尺骨動脈２２ｂと、橈骨２５及び尺骨２６の手の甲側で皮膚の近くに位置する橈側皮静脈２３ａ及び尺側皮静脈２３ｂとを有し、橈骨動脈２２ａ及び尺骨動脈２２ｂと橈側皮静脈２３ａ及び尺側皮静脈２３ｂとの間には手の甲側から手の平側を見た場合に１ｃｍ程度の距離差を有する。
【００２４】
したがって、インパルス遅延信号形成回路１２のレンジ調整回路３２で例えば手の甲側から送信アンテナ１８によってインパルス信号を放射したときに尺骨動脈２２ｂからの反射信号を受信アンテナ４１で受信し、超広帯域検出器４２に入力されるまでの時間にプログラマブル遅延回路１６での遅延時間を加算したインパルス遅延時間を設定する遅延時間設定信号を出力するように設定すれば、プログラマブル遅延回路３１でクロック発生器１えで発生されたクロック信号がインパルス遅延時間だけ遅延されてインパルス信号発生器３３にトリガ信号として入力される。
【００２５】
このため、インパルス信号発生器３３で、インパルス信号発信部１１のインパルス信号発生器１７でインパルス信号を発信したタイミングから送信アンテナ１８から手首２１内に放射されたインパルス信号が尺骨動脈２２ｂで反射した反射インパルス信号を受信アンテナ４１で受信して超広帯域検出器４２に入力されるタイミングでインパルス遅延信号を超広帯域検出器４２に入力する。
【００２６】
この結果、超広帯域検出器４２では、受信アンテナ４１から入力される反射インパルス信号とインパルス信号発生器３３から入力されるインパルス遅延信号との相関をとることにより、尺骨動脈２２ｂで反射された反射インパルス信号が入力されたときに、高い相関値が得られる。
同様に、レンジ調整回路３２で、インパルス信号発信部１１のインパルス信号発生器１７からインパルス信号が発生されて送信アンテナか１８から手首２１内に放射され、これが尺側皮静脈２３ｂで反射された反射インパルス信号を受信アンテナ４１で受信して超広帯域検出器４２に入力されるタイミングに同期してインパルス遅延信号形成部１２のインパルス信号発生器３３でインパルス遅延信号を発生するように遅延時間を調整することにより、超広帯域検出器４２で尺側皮静脈２３ｂからの反射インパルス信号が入力されたタイミングで高い相関値が得られる。
【００２７】
このため、クロック発生器１５からクロック信号が発生される毎に、レンジ調整回路３２で動脈用遅延信号及び静脈用遅延信号を交互に出力させることにより、超広帯域検出器４２で尺骨動脈２２ｂ及び尺側皮静脈２３ｂで反射される反射インパルス信号を時分割で検出することができ、これら反射インパルス信号を脈波検出回路５１に順次入力することにより、この脈波検出回路５１でレンジ調整回路３２から入力される遅延信号に基づいて順次入力される反射インパルス信号を動脈用及び静脈用に分離し、分離された動脈用反射インパルス信号及び静脈用反射インパルス信号に対して積分及び微分等の処理を行うことにより、動脈用脈波信号及び静脈用脈波信号を検出する。
【００２８】
このとき、超広帯域レーダ７では、インパルス信号発信部１１のインパルス信号発生器１７で発生されるインパルス信号は時間軸上で表すと、図４（ａ）に示すように送信パルス幅Ｔｐの搬送波を必要としないモノパルス信号であり、この送信パルス幅Ｔｐをナノ（１０-9）秒、ピコ（１０-12）秒、フェムト（１０-16）秒と細くすることにつれ周波数帯は図４（ｂ）に示すようにＧＨｚオーダで広くとることができ、送信電波強度を低下させることが可能となり、低消費電力化（数μＷ程度）を図ることができる。また、送信パルス間隔を狭くすることにより通信速度を高速とすることができ、レーダとした場合に分解能を向上させることができる。しかも、超広帯域レーダ７では実現する電子回路が単純化され、最大送信電力が小さくなるのでＬＳＩ化しやすくなる。
【００２９】
因に、通常の搬送波を使用するＢＰＳＫ等の位相変調方式では、搬送波を信号で変調して電波を送信し、受信側では受信信号を復調して信号成分を取り出すようにしているので、送信波形は図５（ａ）に示すように所定周期Ｔｓのパルス波形の極性で信号を表すことになり、周波数帯は図５（ｂ）に示すように短くなり、大きな送信電波強度を必要とすると共に、送信回路及び受信回路の構成が複雑大型化し、消費電力も大きくなる。
【００３０】
そして、脈波検出回路５１で検出した動脈用脈波信号及び静脈用脈波信号を個別にＡＧＣ回路５２に出力して、ゲインを自動的に調整してからＡ／Ｄ変換器５３でディジタル値に変換し、変換されたディジタル値を高速フーリエ変換器５４に供給して周波数領域の動脈信号及び静脈信号に変換し、これらを後処理回路５５に供給して後処理アルゴリズムを実行することにより、周波数領域の動脈信号から周波数領域の静脈信号を減算することにより、静脈信号には体動成分のみが含まれていることにより、動脈信号に重畳されている体動成分を正確に除去することができ、動脈のみの正確な脈波を検出することができ、この脈波が表示器２に表示される。
【００３１】
すなわち、人体が安静状態であるときには、体動成分がないことにより、静脈信号が脈動することはなく、動脈信号も心臓の脈動による脈波のみで構成されているので、動脈信号を検出するだけで、正確な脈波を検出することができる。
しかしながら、人体が運動している場合には、動脈信号が心臓の脈動による脈波に運動量に比例して大きくなる体動成分が重畳されることにより、動脈信号のみを検出した場合には正確な脈波を検出することはできないが、本実施形態のように、静脈信号を検出し、この静脈信号には体動成分のみで構成されていることにより、動脈信号から静脈信号を減算することにより、体動成分を除去した脈波を正確に検出することができる。このため、手首に腕時計１を装着するだけで、運動時の脈波検出やリハビリ時の脈波検出を人体に負荷を与えることなく容易且つ正確に行うことができ、脈波測定時に違和感を与えることを確実に防止することができる。
【００３２】
しかも、体動成分を検出ために、外部の加速度センサ等の体動検出器を設ける必要がないと共に、動脈と同位置の静脈を検出することにより、外部の体動検出器を設けた場合のように測定位置を同一にすることができないことによる誤差を生じることがなく、正確な脈波を検出することができると共に、全体の構成を小型化することができる。
また、動脈信号及び静脈信号の検出を超広帯域レーダ７によって行うので、従来の発光ダイオードを使用する場合の消費電力（数十ｍＷ）に比較して格段に少ない消費電力（数μＷ）とすることができると共に、測定周期を短期間とすることができるので、全体の消費電力も少なくなり、電池駆動する場合の電池の寿命を長くすることができる。さらに、腕時計１と手首２１との間に隙間がある場合でも、レンジ調整回路３２で隙間に応じて延時間を調整することにより、正確な脈波を検出することができる。さらにまた、超広帯域レーダ７を使用するので、腕時計１の裏蓋５を合成樹脂製とし、その内側に送信アンテナ１８及び受信アンテナ４１を配設することができ、腕時計１のハウジング３を合成樹脂で一体成型することができ、脈波検出器付き腕時計を低コストで製造することが可能となる。
【００３３】
なお、上記実施形態においては、尺骨動脈２２ｂ及び尺側皮静脈２３ｂの脈波を検出する場合について説明したが、これに限定されるものではなく、橈骨動脈２２ａ及び橈側皮静脈の脈波を検出するようにしてもよく、さらには橈骨動脈２２ａ（又は尺骨動脈２２ｂ）と尺側皮静脈２３ｂ（又は橈側皮静脈２３ａ）との脈波を検出するようにしてもよい。
また、上記実施形態においては、インパルス信号発生部１１に、プログラマブル遅延回路１６を設けた場合について説明したが、これを省略するようにしてもよい。
【００３４】
さらに、上記実施形態においては、クロック発生器１５で発生されるクロック信号に同期して動脈波及び静脈波を時分割に検出する場合について説明したが、これに限定されるものではなく、インパルス遅延信号形成部１２にプログラマブル遅延回路３１と並列に同様の構成のプログラマブル遅延回路を設け、一方のプログラマブル遅延回路で動脈検出用遅延時間を発生させ、他方のプログラマブル遅延回路で静脈検出用遅延時間を発生させて、一回のインパルス信号の放射で動脈及び静脈での反射インパルス信号を同時に測定するようにしてもよい。
【００３５】
さらにまた、上記実施形態においては、本発明を脈波検出器６を腕時計１に設けた場合について説明したが、これに限定されるものではなく、腕時計に代えて腕輪等を適用することができる。また、手首の動脈及び静脈を検出する場合に限らず、足や首等の動脈及び静脈であっても容易に脈波を検出することができる。
なおさらに、上記実施形態においては、人間の脈波を検出する場合について説明したが、これに限定されるものではなく、図６に示すように、腕時計１に代えて首輪６１の内側に脈波検出器６を取付け、この首輪６１を競走馬、競技馬、競争犬等の首に付けることにより、競走馬等の調教時の脈波を正確に検出することができる。
【００３６】
また、上記実施形態においては、脈波検出器６に脈波算出部８を一体に設ける場合について説明したが、これに限定されるものではなく、脈波算出部８の脈波検出回路５１を除く他の部を切り離し、脈波検出回路５１及びＡＧＣ回路５２との間を無線ＬＡＮ等の近距離無線通信機器を使用して無線通信可能に接続することにより、長時間の脈波記録を行うことが可能となる。
【図面の簡単な説明】
【００３７】
【図１】本発明を腕時計に適用した場合の一実施形態を示す斜視図である。
【図２】図１の腕時計の裏側を示す斜視図である。
【図３】脈波検出器を示すブロック図である。
【図４】超広帯域レーダの送信パルスにおける時間軸上の信号波形と周波数軸上の信号強度を示す図である。
【図５】位相変調方式を使用した場合の送信パルスにおける時間軸上の信号波形と周波数軸上の信号強度を示す図である。
【図６】本発明を首輪に適用した場合の実施形態を示す図である。
【符号の説明】
【００３８】
１…腕時計、２…表示器、３…ハウジング、４…リストバンド、５…裏蓋、６…脈波検出器、７…超広帯域レーダ、８…脈波算出部、１１…インパルス信号発信部、１２…インパルス遅延信号形成部、１３…超広帯域検出部、１５…クロック発生器、１６…プログラマブル遅延回路、１７…インパルス信号発生器、１８…送信アンテナ、２１…手首、２２動脈、２２ａ…橈骨動脈、２２ｂ…尺骨動脈、２３ａ…橈側皮静脈、２３ｂ…尺側皮静脈、３１…プログラマブル遅延回路、３２…レンジ調整回路、３３…インパルス信号発生器、４１……受信アンテナ、４２…超広帯域検出器、５１…脈波検出回路、５２…ＡＧＣ回路、５３…Ａ／Ｄ変換器、５４…高速フーリエ変換器、５５…後処理回路、６１…首輪
【図１】
2005102959.tif 000003
【図２】
2005102959.tif 000004
【図３】
2005102959.tif 000005
【図４】
2005102959.tif 000006
【図５】
2005102959.tif 000007
【図６】
2005102959.tif 000008